【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
根尖部と、中間部と、歯冠部とを有する根管を充填するための、カスタマイズされたコアであって、該根尖部が該根管の生理学的根尖を含み、該カスタマイズされたコアが、
該根管の輪郭にマッチするように成形された、事前形成されたシングルピースのボディであって、該根管内に挿入されると、該根管の、該根管の生理学的根尖を含む該根尖部と、該中間部と、該歯冠部とを実質的に充填し、これにより該根管内において細菌および組織液に対して実質的に不浸透性のシールを形成する、事前形成されたシングルピースのボディ
を含み、
該事前形成されたシングルピースのボディが、該根管の三次元画像に基づいてコンピュータ制御製造システムによって生成される、
カスタマイズされたコア。
【請求項２】
前記根管が、輪郭が不均一なボリュームを画定する、請求項1記載のカスタマイズされたコア。
【請求項３】
前記事前形成されたシングルピースのボディが、生体適合性および寸法安定性のある材料を含む、請求項1記載のカスタマイズされたコア。
【請求項４】
前記事前形成されたシングルピースのボディが、抗菌材料を含む、請求項1記載のカスタマイズされたコア。
【請求項５】
前記事前形成されたシングルピースのボディが、細菌および組織液の浸潤に対して実質的に不浸透性の材料を含む、請求項1記載のカスタマイズされたコア。
【請求項６】
前記事前形成されたシングルピースのボディが、放射線不透過性材料を含む、請求項1記載のカスタマイズされたコア。
【請求項７】
前記事前形成されたシングルピースのボディが、触媒にさらされると膨張しかつ寸法安定性を保つ材料を含む、請求項1記載のカスタマイズされたコア。
【請求項８】
前記材料の膨張比が、前記事前形成されたシングルピースのボディの長さ方向に沿って様々である、請求項7記載のカスタマイズされたコア。
【請求項９】
前記事前形成されたシングルピースのボディの少なくとも一部分が非象牙質色である、請求項1記載のカスタマイズされたコア。
【請求項１０】
前記事前形成されたシングルピースのボディが、該事前形成されたシングルピースのボディの歯冠側端部に形成されておりかつユーザーが該事前形成されたシングルピースのボディを該根管に対して操作することを可能にするように構成されているハンドルをさらに含む、請求項1記載のカスタマイズされたコア。
【請求項１１】
前記ハンドルが、前記事前形成されたシングルピースのボディを前記根管から除去するように構成された除去ツールと協調的に係合するように構成されたインターフェースを含む、請求項10記載のカスタマイズされたコア。
【請求項１２】
前記事前形成されたシングルピースのボディの外面が、該事前形成されたシングルピースのボディと前記根管との間のシーラントに該外面が接着しないよう、滑らかである、請求項1記載のカスタマイズされたコア。
【請求項１３】
前記事前形成されたシングルピースのボディの外面が疎水性である、請求項12記載のカスタマイズされたコア。
【請求項１４】
前記事前形成されたシングルピースのボディの外面が、約0.0〜約0.15の範囲内の摩擦係数を有する、請求項12記載のカスタマイズされたコア。
【請求項１５】
前記事前形成されたシングルピースのボディの外面が、ポリテトラフルオロエチレン（PTFE）を含む、請求項12記載のカスタマイズされたコア。
【請求項１６】
前記事前形成されたシングルピースのボディの外面が、該外面が前記根管内の任意のシーラントとともに機械的インターロックを作り出すよう、粗い、請求項1記載のカスタマイズされたコア。
【請求項１７】
前記事前形成されたシングルピースのボディの外面が、ケイ酸カルシウムを含む生体適合性および生体活性のある材料を含む、請求項1記載のカスタマイズされたコア。
【請求項１８】
前記事前形成されたシングルピースのボディが、溶媒にさらされると溶解する材料を含む、請求項1記載のカスタマイズされたコア。
【請求項１９】
前記事前形成されたシングルピースのボディの密度が、該事前形成されたシングルピースのボディの幅方向に沿って様々である、請求項1記載のカスタマイズされたコア。
【請求項２０】
前記事前形成されたシングルピースのボディが、該事前形成されたシングルピースのボディの根尖側端部から歯冠側端部まで、導電性の経路を画定する、請求項1記載のカスタマイズされたコア。
【請求項２１】
根管の生理学的根尖を含む根尖部を含む輪郭が不均一なボリュームを画定する根管を充填するための、カスタマイズされたコアであって、
該輪郭が不均一なボリュームの少なくとも根尖部にマッチするように成形された、事前形成されたボディであって、該根管内に挿入されると、該生理学的根尖を含む根尖部を実質的に充填し、これにより、該生理学的根尖を含む根尖部内に、細菌および組織液に対して実質的に不浸透性のシールを形成する、事前形成されたボディ
を含み、
該事前形成されたシングルピースのボディが、該根管の三次元画像に基づいてコンピュータ制御製造システムによって生成され、
該事前形成されたシングルピースのボディが、該事前形成されたシングルピースのボディの歯冠側端部に形成されておりかつユーザーが該事前形成されたシングルピースのボディを該根管に対して操作することを可能にするように構成されているハンドルをさらに含み、かつ
該事前形成されたシングルピースのボディの外面が、ケイ酸カルシウムを含む生体適合性および生体活性のある材料を含む、
カスタマイズされたコア。
【請求項２２】
根尖部と、中間部と、歯冠部とを有する根管を充填するための、カスタマイズされたコアであって、
該根管の輪郭にマッチするように成形された、事前形成されたシングルピースのボディであって、該根管内に挿入されると、該根管の該根尖部と、該中間部と、該歯冠部とを実質的に充填し、これにより該根管内において細菌および組織液に対して実質的に不浸透性のシールを形成する、事前形成されたシングルピースのボディ
を含み、
該事前形成されたシングルピースのボディが、触媒にさらされると膨張しかつ寸法安定性を保つ材料を含む、
カスタマイズされたコア。
【請求項２３】
前記事前形成されたシングルピースのボディが、生体適合性および生体活性のある材料を含む、請求項22記載のカスタマイズされたコア。
【請求項２４】
前記ハンドルが、
前記事前形成されたシングルピースのボディが前記根管内にポジショニングされた後に、前記歯冠側端部から除去される；または
前記事前形成されたシングルピースのボディが前記根管内にポジショニングされた後に、充填材料によって覆われる
ように構成されている、請求項10記載のカスタマイズされたコア。
【請求項２５】
前記コンピュータ制御製造システムが、コンピュータ数値制御マシンを含む、請求項1記載のカスタマイズされたコア。
【請求項２６】
前記コンピュータ制御製造システムが、付加製造マシンを含む、請求項1記載のカスタマイズされたコア。
【手続補正２】
【補正対象書類名】明細書
【補正対象項目名】００１７
【補正方法】変更
【補正の内容】
【００１７】
いくつかの態様において、輪郭が不均一なボリュームを画定する根管を充填するためのカスタマイズされたコアは、輪郭が不均一なボリュームの少なくとも根尖部にマッチするように成形された、事前形成されたボディを含む。事前形成されたボディが根管内に挿入されると、事前形成されたボディは、輪郭が不均一なボリュームの根尖部を実質的に充填して、根管の、輪郭が不均一なボリュームの根尖部において、細菌および組織液に対して実質的に不浸透性のシールを形成する。
[本発明1001]
根尖部と、中間部と、歯冠部とを有する根管を充填するための、カスタマイズされたコアであって、
該根管の輪郭にマッチするように成形された、事前形成されたシングルピースのボディであって、該根管内に挿入されると、該根管の該根尖部と、該中間部と、該歯冠部とを実質的に充填し、これにより該根管内において細菌および組織液に対して実質的に不浸透性のシールを形成する、事前形成されたシングルピースのボディ
を含む、カスタマイズされたコア。
[本発明1002]
前記根管が、輪郭が不均一なボリュームを画定する、本発明1001のカスタマイズされたコア。
[本発明1003]
前記事前形成されたシングルピースのボディが、前記根管の三次元画像に基づいてコンピュータ制御製造システムによって生成される、本発明1001のカスタマイズされたコア。
[本発明1004]
前記事前形成されたシングルピースのボディが、生体適合性および寸法安定性のある材料を含む、本発明1001のカスタマイズされたコア。
[本発明1005]
前記事前形成されたシングルピースのボディが、抗菌材料を含む、本発明1001のカスタマイズされたコア。
[本発明1006]
前記事前形成されたシングルピースのボディが、細菌および組織液の浸潤に対して実質的に不浸透性の材料を含む、本発明1001のカスタマイズされたコア。
[本発明1007]
前記事前形成されたシングルピースのボディが、放射線不透過性材料を含む、本発明1001のカスタマイズされたコア。
[本発明1008]
前記事前形成されたシングルピースのボディが、触媒にさらされると膨張しかつ寸法安定性を保つ材料を含む、本発明1001のカスタマイズされたコア。
[本発明1009]
前記材料の膨張比が、前記事前形成されたシングルピースのボディの長さ方向に沿って様々である、本発明1008のカスタマイズされたコア。
[本発明1010]
前記事前形成されたシングルピースのボディの少なくとも一部分が非象牙質色である、本発明1001のカスタマイズされたコア。
[本発明1011]
前記事前形成されたシングルピースのボディが、該事前形成されたシングルピースのボディの歯冠側端部に形成されたハンドルをさらに含む、本発明1001のカスタマイズされたコア。
[本発明1012]
前記ハンドルが、前記事前形成されたシングルピースのボディを前記根管から除去するように構成された除去ツールと協調的に係合するように構成されたインターフェースを含む、本発明1011のカスタマイズされたコア。
[本発明1013]
前記事前形成されたシングルピースのボディの外面が、該事前形成されたシングルピースのボディと前記根管との間のシーラントに該外面が接着しないよう、滑らかである、本発明1001のカスタマイズされたコア。
[本発明1014]
前記事前形成されたシングルピースのボディの外面が疎水性である、本発明1013のカスタマイズされたコア。
[本発明1015]
前記事前形成されたシングルピースのボディの外面が、約0.0〜約0.15の範囲内の摩擦係数を有する、本発明1013のカスタマイズされたコア。
[本発明1016]
前記事前形成されたシングルピースのボディの外面が、ポリテトラフルオロエチレン（PTFE）を含む、本発明1013のカスタマイズされたコア。
[本発明1017]
前記事前形成されたシングルピースのボディの外面が、該外面が前記根管内の任意のシーラントとともに機械的インターロックを作り出すよう、粗い、本発明1001のカスタマイズされたコア。
[本発明1018]
前記事前形成されたシングルピースのボディの外面が、生体適合性および生体活性のある材料を含む、本発明1001のカスタマイズされたコア。
[本発明1019]
前記生体適合性および生体活性のある材料が、ケイ酸カルシウムを含む、本発明1001のカスタマイズされたコア。
[本発明1020]
前記事前形成されたシングルピースのボディが、溶媒にさらされると溶解する材料を含む、本発明1001のカスタマイズされたコア。
[本発明1021]
前記事前形成されたシングルピースのボディの密度が、該事前形成されたシングルピースのボディの幅方向に沿って様々である、本発明1001のカスタマイズされたコア。
[本発明1022]
前記事前形成されたシングルピースのボディが、該事前形成されたシングルピースのボディの根尖側端部から歯冠側端部まで、導電性の経路を画定する、本発明1001のカスタマイズされたコア。
[本発明1023]
輪郭が不均一なボリュームを画定する根管を充填するための、カスタマイズされたコアであって、
該輪郭が不均一なボリュームの少なくとも根尖部にマッチするように成形された、事前形成されたボディであって、該根管内に挿入されると、該輪郭が不均一なボリュームの該根尖部を実質的に充填し、これにより、該根管の該輪郭が不均一なボリュームの該根尖部内に、細菌および組織液に対して実質的に不浸透性のシールを形成する、事前形成されたボディ
を含む、カスタマイズされたコア。